(57)【要約】【課題】テープカセット用収納ケース同士の積み重ねが行い易いうえ、ラベルシートが確認しやすく、ラベルシートの損傷を防ぐことが可能なテープカセット用収納ケースを提供する。【解決手段】テープカセットＣを収納する収納部１１と、収納部１１を覆う蓋部１２と、収納部１１及び蓋部１２をヒンジ部４０，４１によって開閉可能に連結する背板１３とを備え、別のテープカセット用収納ケースと重ね合わせた状態で、該別のテープカセット用収納ケースの収納部１１に係合するように、蓋部１２の外側面の周縁にリブ４５，４６，４７，４８が形成され、リブにおける背板１３側の一部に切欠部４６ａが形成され、蓋部１２の外側面から切欠部４６ａを跨いで背板１３の外側面にいたるようにラベルシート収納部５２が設けられ、リブ４６の切欠部４６ａ側端部には、切欠部４６ａとの境界に向かってテーパするテーパ部４６ｂが設けられる。【選択図】  図２
2005350075.tif 000002
【特許請求の範囲】
【請求項１】
テープカセットを収納する収納部と、
前記収納部を覆う蓋部と、
前記収納部及び前記蓋部をヒンジ部によって開閉可能に連結する背板とを備えたテープカセット用収納ケースであって、
別のテープカセット用収納ケースと重ね合わせた状態で、該別のテープカセット用収納ケースの収納部に係合するように、前記蓋部の外側面の周縁にリブが形成され、前記リブにおける前記背板側の一部に切欠部が形成され、前記蓋部の前記外側面から前記切欠部を跨いで前記背板の外側面にいたるようにラベルシート収納部が設けられ、
前記背板側に位置する前記リブの前記切欠部側の端部に、前記切欠部との境界に向かってテーパするテーパ部を有することを特徴とするテープカセット用収納ケース。
【発明の詳細な説明】
【技術分野】
【０００１】
本発明は、放送局でテープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図５は、従来のテープカセット用収納ケースを示す図である。図５に示すように、従来のテープカセット用収納ケース１００は、ハードタイプのケース本体を有し、ケース本体が、カセットケースを収納する収納部１０１と、該収納部１０１の上方に覆い被される蓋部１０２と、収納部１０１と蓋部１０２とを連結する背板１０３とを備えている。
【０００５】
また、放送局のように大量のテープカセットを取り扱う環境では、テープカセットをテープカセット用収納ケースに収容した状態で、このテープカセット収納ケースを積み重ねて保管や搬送することが多い。そこで、従来のテープカセット用収納ケースには、図５に示すように、テープカセット収納ケース１００の蓋部１０２の上面において周縁辺から立設されたリブ１０２ａが備えられている。リブ１０２ａは、重ね合わされる他のテープカセット用収納ケースの収納部底面に形成された凹部や段差部と嵌め合わせることで、積み重ねられたテープカセット収納ケースが崩れ落ちた衝撃で収納されたカセットケースが飛び出して損傷することを防止している。
【０００６】
【特許文献１】特開２００２−１７９１７６号公報
【発明の開示】
【発明が解決しようとする課題】
【０００７】
ところで、放送局などの大量のテープカセットを取り扱う環境で使用されるテープカセット用収納ケースでは、収納されたテープカセットをそれぞれ識別するために、該テープカセット用収納ケースの外側面にラベルシートを付けて、このラベルシートに、内部に収納されたテープカセットに関する情報を書き込めるようにした構成が採用されている。
【０００８】
上記のようなラベルは、図５に示すように、収納部１０２の上面に形成された透明な樹脂からなるポケット状のラベルシート収納部１０４に挿入される。しかし、テープカセット用収納ケースを重ね合わせて保管する場合には、ラベルシート収納部１０４は、他の重ね合うテープカセット用収納ケースによって隠れてしまい、視認することができなかった。このため、テープカセット用収納ケースを重ね合わせて保管する場合であっても確認できるように、テープカセット用収納ケースの背板１０３側にまで至るようにラベルシート収納部１０４を延長させたい要望があった。そこで本出願人は、上記要望を満たすために、図６に示すように、上記リブ１０２ａにおける背板側の一部に切欠部１０２ｂを設け、蓋部１０２の外側面から切欠部１０２ｂを跨いで背板１０３の外側面にいたるようにラベルシート収納部１０４を設けたテープカセット用収納ケース（特願２００４−０５１７１９）を、先行発明として出願している。
【０００９】
図６に示すテープカセット用収納ケースにおいてラベルシート収納部１０４にラベルシートを収納する場合、ラベルシート収納部１０４からはみ出るラベルシート部分を背板１０３側のリブ１０２ａに沿って折り曲げて背板１０３側に持っていく必要がある。ところが、ラベルシート収納部１０４と背板１０３側のリブ１０２ａとの境界部分１０５にはほぼ垂直な段差があるため、ラベルシートを折り曲げる際、この段差部分でラベルシートにシワがよってしまったり、ラベルシートが破けてしまったりするという恐れがあった。
【００１０】
本発明は、上記事情に鑑みてなされたもので、その目的は、テープカセット用収納ケース同士の積み重ねが行い易いうえ、ラベルシートが確認しやすく、ラベルシートの損傷を防ぐことが可能なテープカセット用収納ケースを提供することにある。
【課題を解決するための手段】
【００１１】
本発明の上記目的は、テープカセットを収納する収納部と、収納部を覆う蓋部と、収納部及び蓋部をヒンジ部によって開閉可能に連結する背板とを備えたテープカセット用収納ケースであって、別のテープカセット用収納ケースと重ね合わせた状態で、該別のテープカセット用収納ケースの収納部に係合するように、蓋部の外側面の周縁にリブが形成され、リブにおける背板側の一部に切欠部が形成され、収納部の外側面から切欠部を跨いで背板の外側面にいたるようにラベルシート収納部が設けられ、前記背板側に位置する前記リブの前記切欠部側の端部に、前記切欠部との境界に向かってテーパするテーパ部を有することを特徴とするテープカセット用収納ケースによって達成される。
【００１２】
ここで、別のテープカセット用収納ケースとは、上記の収納部、蓋部及び背板を備え、収納部の外側面の周縁にリブを蓋部に係合できる構成であれば、同じ会社の製品でも他の会社の製品でもよい。
【００１３】
上記テープカセット用収納ケースは、蓋部の外側面の周縁にリブが形成され、このリブが別のテープカセット用収納ケースと重ね合わせた状態で、該別のテープカセット用収納ケースの収納部の外側面に係合するように構成されている。また、リブにおける背板側の一部に切欠部が形成され、蓋部の外側面から切欠部を跨いで背板の外側面にいたるようにラベルシート収納部が設けられているため、ラベルシートをこのラベルシート収納部に収納すれば、蓋部の外側面と背板の外側面とにおいて該ラベルシートに記載された情報を確認することができる。また、背板側に位置するリブの切欠部側の端部に、切欠部との境界に向かってテーパするテーパ部を有しているため、ラベルシート収納部にラベルシートを収納する場合でも、ラベルシートの損傷を防ぐことができる。このように、本発明に係るテープカセット用収納ケースは、収納部に形成されたリブによって積み重ねられたテープカセット用収納ケースが崩れないように保持できるとともに、ラベルシート収納部によって保管時や搬送時にテープカセット用収納ケースのラベルシートが確認しやすく、ラベルシートの損傷も少ない。
【発明の効果】
【００１４】
本発明によれば、テープカセット用収納ケース同士の積み重ねが行い易いうえ、ラベルシートが確認しやすく、ラベルシートの損傷を防ぐことが可能なテープカセット用収納ケースを提供することができる。
【発明を実施するための最良の形態】
【００１５】
以下、本発明に係るテープカセット用収納ケースの実施形態を図面に基づいて詳細に説明する。
図１は、本発明に係るテープカセット用収納ケースの実施形態において、蓋部を開いた状態を示す図である。図２は、図１のテープカセット用収納ケースにおいて蓋部を閉じた状態を示す図である。図３は、図２のテープカセット用収納ケースを矢印Ｘ方向から見た状態を示す図である。図４は、図３のテープカセット用収納ケースを背板側から見た状態を示す図である。
【００１６】
図１に示すように、テープカセット用収納ケース１０は、テープカセットＣを収納する収納部１１と、この収納部１１を覆うことができるように形成された蓋部１２と、収納部１１及び蓋部１２を開閉可能に連結する背板１３とを備えている。また、テープカセット用収納ケース１０は、収納部１１にヒンジ部１５を介して支持されたロック片１４を備えている。
【００１７】
テープカセット用収納ケース１０は、ポリプロピレン（ＰＰ）等の高分子樹脂を材料として一体成形されている。
【００１８】
収納部１１は、平面視において略長方形を有する底板１６を有している。底板１６の長縁辺及び短縁辺に、テープカセットＣの収納される部位の周囲を囲むように周板１７，１８，１９，２０が直立して形成されている。周板１７は収納部１１の正面側に配され、周板１８は収納部１１の背面側に配され、周板１９，２０は収納部１１の左・右面側に配されている。
【００１９】
収納部１１の底板１６の中央部には、一対のリール係止リブ２５が形成されている。リール係止リブ２５には、磁気テープカセットＣに設けられた図示しない巻取ハブのリール孔を挿入することにより、磁気テープカセットＣを収納部１１に位置決めする。
【００２０】
収納部１１における周板１７の前側面（図１における手前側の面）の両端部に、一対の第１の係合部２８が形成されている。
【００２１】
蓋部１２は、図１中上方視において略長方形状の天板３５を有している。天板３５における一方の長縁辺には外板２９が立設され、天板３５における２つの短縁辺には外板３０，３１が立設されている。
【００２２】
また、蓋部１２は、天板３５が他方の長縁辺でヒンジ部４１を介して背板１３に連結されている。収納部１１は、周板１８側に位置する長縁辺でヒンジ部４０を介して背板１３に連結されている。収納部１１と蓋部１２とが、背板１３のヒンジ部４０，４１によって開閉可能に構成されている。蓋部１２を閉じた状態で、蓋部１２の天板３５における外板２９，３０，３１の内側面が収納部１１の周板１７，１９，２０の外側面と対向するように構成されている。
【００２３】
図２に示すように、蓋部１２における、ヒンジ部４１とは反対側に位置する外板２９の内側には、一対の第１の係止部３２が形成されている。第１の係止部３２は、蓋部１２が閉じられた際に、収納部１１の周板１７における第１の係合部２８に係合するように構成されている。
【００２４】
図２に示すように蓋部１２の外板２９の外側面には、第２の係合部３９が形成されている。
【００２５】
収納部１１の前面側の周板１７における中央下端部には、台形形状を有する板状のロック片１４が形成されている。ロック片１４と周板１７との境界部分にはヒンジ部１５が形成され、ロック片１４がヒンジ部１５によって、周板１７側に傾斜させることができるように、収納部１１に対して可動に支持されている。
【００２６】
ロック片１４の先端部には、蓋部１２の外板２９に形成された上記第２の係合部３９と係合可能な第２の係止部４４が形成されている。
【００２７】
テープカセット用収納ケース１０は、蓋部１２が収納部１１に対して閉じられると、第１の係止部２８に蓋部１２の第１の係合部３１がそれぞれ係合し、ロック片１４の第２の係止部４４を蓋部１２の第２の係合部３９に係合させることで、収納部１１と蓋部１２とを互いにロックさせることができる構成である。
【００２８】
図２及び図３に示すように、蓋部１２の天板３５の外側面において、該天板の周縁に沿ってリブ４５，４６，４７，４８が突設されている。これらリブ４５，４６，４７，４８は、テープカセット用収納ケースの収納部における凹部や段差部などに係合可能に構成されている。こうすることで、テープカセット用収納ケース同士を重ね合わせた際に、一方のテープカセット用収納ケースの蓋部と他方のテープカセット用収納ケースの収納部とが係合する。
【００２９】
上記リブ４５，４６，４７，４８の，背板１３側に位置するリブ４６において一部に切欠部４６ａが設けられている。切欠部４６ａは、リブ４６において、リブ４７側端部に設けられている。
【００３０】
蓋部１２の正面側に位置するリブ４５における、リブ４７側の端部から、リブ４７に沿って切欠部４６ａにわたって、等しい幅寸法を有する第１のラベルシート収納領域５０が区画されている。
【００３１】
また、図３に示すように、切欠部４６ａから、背板１３の外板３０側の端部に沿ってヒンジ部４０にわたって、等しい幅寸法を有する第２のラベルシール収納領域５１が区画されている。
【００３２】
上記の第１のラベルシート収納領域５０及び第２のラベルシール収納領域５１を覆うように、透明又は半透明な樹脂材料からなるポケット状のラベルシート収納部５２が設けられている。ラベルシート収納部５２には、テープカセットに記録された内容に関する情報などを書き込むことができるラベルシートを収容保持させることができる。
【００３３】
ラベルシート収納部５２が、第１のラベルシート収納領域５０において、リブ４５側端縁とリブ４７側端縁が熱溶着され、また、第２のラベルシート収納領域５１において、背板１３の外板３０側端縁とヒンジ部４０側端縁が熱溶着されている。
【００３４】
こうして、ラベルシート収納部５２は、第１のラベルシート収納領域５０に第１のラベルシート挿入口５３を有し、且つ、第２のラベルシート収納領域５１に第２のラベルシート挿入口５４を有する構成である。なお、背板１３側には第２のラベルシート挿入口５４を設けないで熱溶着し、第１のラベルシート挿入口５３のみからラベルシートを収納する構成であってもよい。また、第１のラベルシート収納領域５０と第２のラベルシート収納領域５１とに大きさの異なるラベルシートをそれぞれ収納保持させてもよい。
【００３５】
図２及び図３に示すように、ヒンジ部４１に沿って設けられた背板１３側に位置するリブ４６は、切欠部４６ａとの境界に向かってテーパするテーパ部４６ｂを、切欠部４６ａ側の端部に有している。図４に示すように、テーパ部４６ｂは、切欠部４６ａとの境界に向かうにつれて天板３５側（図４中下方）に傾斜しており、テーパ部４６ｂの先端は、切欠部４６ａとの境界部分において天板３５の外側面とほぼ同じ高さになっている。つまり、切欠部４６ａとリブ４６との間には極端な段差は生じていない。なお、ここではテーパ部４６ｂをリブ４６の切欠部４６ａ側の端部に設けているが、リブ４６全体にテーパ部４６ｂを設ける構成であっても良い。この場合は、蓋部１２の上に他のテープカセット用収納ケースを置いたときに、そのテープカセット用収納ケースがリブ４６から外側に飛び出してしまわない程度にテーパの度合いを設定すれば良い。
【００３６】
このように、本実施形態のテープカセット用収納ケース１０は、別のテープカセット用収納ケースと重ね合わせた状態で、該別のテープカセット用収納ケースの収納部に係合するように、蓋部１２の外側面の周縁にリブ４５，４６，４７，４８が形成され、背板１３側に位置するリブ４６の一部に切欠部４６ａが形成され、蓋部１２の外側面から切欠部４６ａを跨いで背板１３の外側面にいたるようにラベルシート収納部５２が設けられている。さらに、背板１３側に位置するリブ４６の切欠部４６ａ側の端部には、切欠部４６ａとの境界に向かってテーパするテーパ部４６ｂが設けられている。
【００３７】
テープカセット用収納ケース１０は、蓋部１２の外側面の周縁にリブ４５，４６，４７，４８が形成され、このリブ４５，４６，４７，４８が別のテープカセット用収納ケースと重ね合わせた状態で、該別のテープカセット用収納ケースの収納部１１の外側面に係合するように構成されている。また、背板１３側に位置するリブ４６の一部に切欠部４６ａが形成され、蓋部１２の外側面から切欠部４６ａを跨いで背板１３の外側面にいたるようにラベルシート収納部５２が設けられているため、一枚のラベルシートをこのラベルシート収納部５２に収納すれば、蓋部１２の外側面と背板１３の外側面とにおいて該ラベルシートに記載された情報を確認することができる。このとき、ラベルシート収納部５２に収納されることでラベルシートは蓋部１２に密着することになる。リブ４６がテーパ部４６ｂを有しておらず、全体で一様の形状であった場合、蓋部１２に密着しているラベルシートのラベルシート収納部５２からはみ出した部分が、図４の上方に急な角度で持ち上げられる状態となるため、ラベルシートのはみ出した部分をリブ４６に沿って背板１３側に折り曲げる際、切欠部４６ａとリブ４６との境界部分においてラベルシートにシワがよったり、ラベルシートが破けてしまう恐れがある。ところが、本発明に係るテープカセット用収納ケース１０によれば、リブ４６の先端部が切欠部４６ａとの境界に向かってテーパ状となっているため、ラベルシート収納部５２からはみ出したラベルシートが、テーパ部４６ｂの傾斜面に沿って図４の上方に緩やかな角度で持ち上げられることになり、ラベルシートにシワがよったり、破けたりするのを防ぐことができる。
【００３８】
このように、本発明に係るテープカセット用収納ケース１０は、蓋部１２に形成されたリブ４５，４６，４７，４８によって、積み重ねられたテープカセット用収納ケース１０が崩れないように保持できるとともに、ラベルシート収納部５２によって保管時や搬送時にテープカセット用収納ケース１０に装着されたラベルシートが確認しやすいため使い勝手が良い。また、ラベルシート収納部５２に収納するラベルシートの損傷も少ない。
【図面の簡単な説明】
【００３９】
【図１】本発明に係るテープカセット用収納ケースの実施形態において、蓋部を開いた状態を示す図である。
【図２】図１のテープカセット用収納ケースにおいて蓋部を閉じた状態を示す図である。
【図３】図２のテープカセット用収納ケースを矢印Ｘ方向から見た状態を示す図である。
【図４】図２のテープカセット用収納ケースを背板側から見た状態を示す図である。
【図５】従来のテープカセット用収納ケースを示す図である。
【図６】先行発明のテープカセット用収納ケースを示す図である。
【符号の説明】
【００４０】
１０      テープカセット用収納ケース
１１      収納部
１２      蓋部
１３      背板
４５，４６，４７，４８      リブ
４６ａ    切欠部
５２      ラベルシート収納部
Ｃ        テープカセット
【図１】
2005350075.tif 000003
【図２】
2005350075.tif 000004
【図３】
2005350075.tif 000005
【図４】
2005350075.tif 000006
【図５】
2005350075.tif 000007
【図６】
2005350075.tif 000008